(57)【特許請求の範囲】
【請求項１】
所定本数の胴縁を介して壁面に取り付けられる外装材の取付構造において、
前記胴縁は、前記壁面の上部よりも下部に多く配分されることを特徴とする外装材取付構造。
【請求項２】
請求項１に記載の外装材取付構造において、
前記壁面の下部に配分された前記胴縁は、上部に配分された前記胴縁のピッチの約２分の１のピッチで配置されることを特徴とする外装材取付構造。
【請求項３】
請求項１又は請求項２に記載の外装材取付構造において、
前記胴縁は、前記壁面の下端から積雪高さに相当する高さまでの部分に多く配分されることを特徴とする外装材取付構造。
【請求項４】
請求項１から請求項３までのいずれかに記載の外装材取付構造において、
前記外装材及び胴縁には防腐処理がなされることを特徴とする外装材取付構造。
【請求項５】
請求項１から請求項４までのいずれかに記載の外装材取付構造において、
前記外装材は、縦長に形成されることを特徴とする外装材取付構造。
【発明の詳細な説明】
【０００１】
【発明の属する技術分野】
本発明は、取り付け作業が簡単となる外装材取付構造に関する。
【０００２】
【背景技術及び発明が解決しようとする課題】
建物の外壁は、外装材で覆われることが多い。この外装材は、通常、壁面に対し等間隔で均等に配置された複数本の胴縁を用いて該壁面に固定される。
【０００３】
ところで、外装材が高さ方向に高くなると、その分高い位置に取り付けられる胴縁の本数が増える。そのため、足場等を利用して胴縁を高い位置に取り付ける作業が増え、外装材取付作業に手間がかかるという問題があった。
【０００４】
本発明は、上記課題に鑑みてなされたものであり、その目的は、取り付け作業が簡単となる外装材取付構造を提供することにある。
【０００５】
【課題を解決するための手段】
上記課題を解決するため、請求項１記載の発明は、所定本数の胴縁を介して壁面に取り付けられる外装材の取付構造において、前記胴縁は、前記壁面の上部よりも下部に多く配分されることを特徴とする。
【０００６】
請求項１記載の発明によれば、胴縁が壁面の上部よりも下部に多く配分されることから、高所における胴縁取付作業を減らすことができる。このため、胴縁取付作業が容易となる他、作業者の安全も高められる。
【０００７】
なお、外装材の取付強度は、使用される胴縁の本数によって定まるため、壁面における胴縁の配分を本発明のように片寄らせたことのみによって、その取付強度が低下することはない。
【０００８】
また、使用される胴縁の本数は、壁面及び外装材の大きさや胴縁の強度等を勘案して決定される。
【０００９】
さらに、壁面の上部・下部の各領域の大きさは、壁面の大きさや胴縁の本数等を考慮し、臨機応変に決定してよい。
【００１０】
請求項２記載の発明は、請求項１に記載の外装材取付構造において、前記壁面の下部に配分された前記胴縁は、上部に配分された前記胴縁のピッチの約２分の１のピッチで配置されることを特徴とする。
【００１１】
請求項２記載の発明によれば、壁面の上部に配分される胴縁の取付ピッチと下部に配分される胴縁の取付ピッチが予め定められることから、このピッチ比に基づいて胴縁の配分比や上部・下部各領域の大きさ等を容易に決定することができる。例えば、本発明のように「壁面の上部に配分された胴縁のピッチ：壁面の下部に配分された胴縁のピッチ≒２：１」とすることができる。
【００１２】
請求項３記載の発明は、請求項１又は請求項２に記載の外装材取付構造において、前記胴縁は、前記壁面の下端から積雪高さに相当する高さまでの部分に多く配分されることを特徴とする。
【００１３】
請求項３記載の発明によれば、積雪によって外装材が圧迫されやすい部分に胴縁が多く配置されることから、雪の圧力によって外装材が破壊されにくくなる。
【００１４】
なお、積雪高さは一定ではなく、建物が建設される具体的地域・場所の過去の積雪データ等を考慮して、建物毎に妥当な高さに決定される。
【００１５】
請求項４記載の発明は、請求項１から請求項３までのいずれかに記載の外装材取付構造において、前記外装材及び胴縁には防腐処理がなされることを特徴とする。
【００１６】
請求項４記載の発明によれば、外装材及び胴縁に防腐処理がなされることから、両部材が腐りにくい。このため、安定した外装材取付状態に基づく建物の良好な外観を、長い年月にわたって維持することが可能となる。
【００１７】
なお、防腐処理の手段は、確実に腐食を防止し得る限り、特に限定されない。
【００１８】
請求項５記載の発明は、請求項１から請求項４までのいずれかに記載の外装材取付構造において、前記外装材は、縦長に形成されることを特徴とする。
【００１９】
請求項５記載の発明によれば、外装材が縦長に形成されることから、外装材の取付作業が一層簡単となる。つまり、低所と高所における外装材の取付を一度に行え、かつ、低所で外装材を支持しつつ固定作業を行えることから、高所での作業が減少し、作業が簡単・安全となる。
【００２０】
【発明の実施の形態】
次に、本発明の実施の形態を図面を参照して詳細に説明する。
【００２１】
図１は、本発明の実施形態を示す正面図である。
【００２２】
同図において、基礎１０の上に壁面１２が構築され、この壁面１２が防水材１５で覆われ、その上から１８本の胴縁１６が一対ずつ９段にわたって配置され、固定金物１８で固定される。そして、この胴縁１６を介して外装材２０が壁面１２に取り付けられる。また、壁面１２の下端部には、壁を流れ落ちる雨水等の水切れを良くするための水切り材１４が取り付けれる。
【００２３】
より詳しくは、壁面１２は、下端部から上端部までの高さがほぼ２８２３ｍｍに設定される。そして、９段の胴縁１６のうち、５段分は壁面１２の下部に配分され、残り４段が上部に配置される。このとき、上部の胴縁１６のピッチと下部の胴縁１６のピッチの比は、約２：１に設定される。具体的には、下から５段分の胴縁１６は、２２７ｍｍのピッチＡで配置され、その上の４段分の胴縁１６は、ピッチＡのほぼ２倍に相当する４５５ｍｍのピッチＢで配置される。また、下から５段分の胴縁１６は、積雪２４の高さに相当する高さまでの間に配置される。
【００２４】
ここで、胴縁１６は、厚さ１２ｍｍ、縦幅４０ｍｍ、横幅１８２０ｍｍに設定された長尺部材であり、長手方向を水平にして取り付けられる。このとき、横方向で隣接する一対の胴縁１６同士の間には、幅４０ｍｍの隙間２２が設けられる。
【００２５】
また、胴縁１６は防腐処理済み合板から形成される。この胴縁１６の防腐処理は、原料合板を防腐処理剤に浸して施される。防腐処理剤は、合板の防腐処理に通常用いられるものを使用して良い。
【００２６】
外装材２０は、繊維混入パーライトセメントケイ酸カルシウム板からなり、表面には、美観を高めるための装飾が施されている。この外装材２０の大きさは、縦２８２３ｍｍ、横４５５ｍｍに設定される。そして、この外装材２０は、図示しない釘を外装材２０の表面から胴縁１６及び壁面１２に打ち込んで固定される。
【００２７】
基礎１０、壁面１２、水切り材１４、防水材１５については、周知の構成のものを使用しているため、説明を省略する。
【００２８】
なお、壁面１２の高さや外装材２０の大きさは、建物の大きさによって変更可能である。そして、使用される胴縁１６の本数及び段数は、これらの変動に応じて任意に増減し得る。
【００２９】
また、隣接する一対の胴縁１６の間に隙間２２を設けず、連続的に配置しても良い。
【００３０】
さらに、胴縁１６及び外装材２０の具体的構成は、それぞれに期待される機能を発揮可能な範囲において、任意に変更することができる。例えば、不燃性の材料で胴縁１６を形成したり、木繊維混入セメントケイ酸カルシウム板で外装材２０を形成することができる。
【００３１】
本実施形態は上述のように構成される。これにより、次のような作用・効果が発揮される。
【００３２】
第一に、壁面１２の上部に取り付けられる胴縁１６が下部に取り付けられる胴縁１６より少ないことから、高所作業が減少し、胴縁１６の取付作業が簡単かつ安全となる。特に、壁面１２の下部に配分される５段分の胴縁１６は、基礎１０の高さを考慮しても、地面から約１．５ｍ前後の高さまでに配置される。このため、固定金物１８の打ち付け時に、作業者の手によって胴縁１６を楽に支持することができる。
【００３３】
第二に、下から５段分の胴縁１６が、積雪２４の高さに相当する高さまでの範囲に配置されることから、積雪２４によって外装材２０が破壊されにくい。つまり、積雪２４によって外装材２０が圧迫されやすい部分が、多数の胴縁１６によって裏面から支持されることから、積雪２４の圧力に対する抗力が高められる。
【００３４】
第三に、上部の胴縁１６のピッチと下部の胴縁１６のピッチ比が予め定められることから、胴縁１６の配置等を計算により簡単に決定することができる。
【００３５】
第四に、横方向で隣接する一対の胴縁１６同士の間に隙間２２が設けられることから、外装材２０と壁面１２及び防水材１５との間の空気の流通が良くなる。このため、外装材２０の裏側で結露等が発生しにくく、外装材２０等の劣化防止が図られる。
【００３６】
第五に、外装材２０が縦長に形成されることから、低所と高所の両方を一度に覆うことができる。そして、固定作業時の外装材支持は低所にて行えることから、作業が簡単・安全となる。
【００３７】
第六に、外装材２０及び胴縁１６が腐食しにくいことから、建物の良好な外観を長く維持することができる。
【００３８】
【発明の効果】
以上説明したように、請求項１記載の発明によれば、胴縁が壁面の上部よりも下部に多く配分されることから、高所における胴縁取付作業を減らすことができる。このため、胴縁取付作業が容易となる他、作業者の安全も高められる。
【００３９】
請求項２記載の発明によれば、壁面の上部に配分される胴縁の取付ピッチと下部に配分される胴縁の取付ピッチが予め定められることから、このピッチ比に基づいて胴縁の配分比や上部・下部各領域の大きさ等を容易に決定することができる。
【００４０】
請求項３記載の発明によれば、積雪によって外装材が圧迫されやすい部分に胴縁が多く配置されることから、雪の圧力によって外装材が破壊されにくくなる。
【００４１】
請求項４記載の発明によれば、外装材及び胴縁に防腐処理がなされて両部材が腐りにくいことから、安定した外装材取付状態に基づく建物の良好な外観を、長い年月にわたって維持することが可能となる。
【００４２】
請求項５記載の発明によれば、外装材が縦長に形成されて高所での作業を減少させ得ることから、外装材の取付作業が一層簡単となる。
【図面の簡単な説明】
【図１】本発明の実施形態を示す正面図である。
【符号の説明】
１２  壁面
１６  胴縁
２０  外装材
２２  隙間
２４  積雪
【図１】
0003835897.tif 000002